(57)【要約】      （修正有）【課題】構造がシンプルであり、耐久性、信頼性ある構造とする。又、超小型装置や、逆に、超大型装置とする事を可能とする。永久磁石のみだけではなく、超電導電磁石を用いて、大電力を得る事ができる構造とする。回転原理に無理がなく、又、対向する磁石の吸引力と、反発力の全てを回転力に転換する回転原理として、高速回転が可能であり、多少の負荷であれば、停止位置より自力回転を可能とする。【解決手段】主円盤回転車１と副円盤回転車２の主、副各円盤３、４の区分円周を、４等区分し、各区分点の接線を基準として各傾斜角の傾斜角線とその直角線を引き、各々傾斜角線、直角線上に各々、主、副各傾斜台６、７を固定し、その各傾斜台６、７上に、突出形磁石８を固定する。主、副各円盤３、４下部に付けた笠歯車５を噛み合わせ軸受で支持し、対抗区分位置の磁極面を対向させ、吸引力と反発力の回転力で、発電機２２を回転して発電する磁力回転発電装置。【選択図】図２
2017103997.tif 000002
【特許請求の範囲】
【請求項１】
主円盤回転車と副円盤回転車の構成は、同一直径の主、副各円盤中心下部をボス部とし、中心に軸穴を付け主軸を通し、キー、ボルトにより各々固定する。又、主、副各円盤下部には、リング形で、主、副各円盤直径より歯形部分だけ少し大きめの同一直径、同一歯数とする各笠歯車を、主、副各円盤中心下部の段差円周側面に合わせ取付け、タッピングネジ等により、主、副各円盤下部に固定する。又、小型の場合、各笠歯車の中心下部をボス部とし、中心に軸穴を付け主軸を通し、キー、ボルトにより各々固定する。各笠歯車の上面に、笠歯車より、歯形部分だけ小さめの中心に軸穴があく同一直径の、主、副各円盤を中心軸に通し、各笠歯車の上面にタッピングネジ等で各々、固定する。主、副各円盤面外周より少し内側に、同一直径の区分円周ｇを描き、２以上ので整数区分より、任意の区分数を選択して、区分円周ｇを等区分し各区分点ｅとする。主円盤における区分円周ｇの各区分点より、回転方向に、接線ｆを引き描く、接線ｆを基準として傾斜角αの傾斜線ｊを区分点ｅより引き描く。次に、この傾斜線ｊに対する直角線ｋを区分点ｅより引き描く。主円盤の傾斜角αは、笠歯車のピッチ円錐角ｘにより変化する。笠歯車の選択できるピッチ円錐角ｘは、最大３０度であり、笠歯車のピッチ円錐角ｘは、３０度より１度程度まで選択できる。傾斜角αを３０度よりａ度減じたｘ１とする時、傾斜角αは、最大ピッチ円錐角ｘの傾斜角αである９０度よりａ度減じた角度とする。仮に、ピッチ円錐角ｘ１を１５度とした時、これを数式を入れ述べると、傾斜角αを３０度よりａ度減じた数ａは、ａ＝３０−ｘ１＝３０−１５＝１５度であり、傾斜角αは、９０度よりａ度減じた値の角度となるので、α＝９０−ａとなり、α＝９０−ａ＝９０−１５＝７５で傾斜角αは７５度となる。又、副円盤部における区分円周ｇの各区分点ｅより、逆回転方向に、接線ｆを引き、接線ｆを基準として傾斜角βの傾斜線ｊを区分点ｅより引く。又、この傾斜線ｊに対する直角線ｋを区分点ｅより引く。傾斜角βは笠歯車ピッチ円錐角ｘの如何なる選択でも４５度とする。主円盤面と副円盤面の各区分点ｅに描いた傾斜線ｊ上と直角線ｋ上に、底面２辺位置として、各々、主傾斜台と副傾斜台が主、副各円盤面に固定される。主傾斜台と副傾斜台の形状は、一体成形であり、分解できないが、分解できるとして説明する。まず、主、副各傾斜台は、各々、高さ部分を構成する、平面台ブロックＡの上に、各々、側面が直角三角形の傾斜ブロックＢ、Ｃが２個重なった形状であり、更に、この形状に、突出形磁石を上面に固定した時、突出部の下部面を受ける受け板を付けた形状とする。こうした形状をアルミニューム等のダイキャストの一体成形、或いは、プラスチック一体成形した構造である。平面台ブロックは、平面形が正方形であり１辺の長さは、磁極面巾にｃｏｓｘ（ｘは選択したピッチ円錐角）を乗じた値とする。平面台ブロックの高さは、約、突出形磁石の磁極面巾にｓｉｎｘ（ｘは選択したピッチ円錐角）を乗じた値に１．３倍した程度の高さとする。主円盤面における、区分点の傾斜線ｊ、ｋに主傾斜台を固定した時、各ブロックＡが、どの様な位置、順序、方向で積み上げられているかを説明すると、まず平面台ブロックは、下端２辺を主円盤面区分点の傾斜線ｊ、ｋに合わせ固定し、次に、傾斜ブロックＢは、平面台ブロックＡ面上に、傾斜面下端線を、直角線ｋ位置として、又、傾斜側辺下端を傾斜線ｊ位置として、上昇傾斜して重なる。次に、傾斜ブロックＣは、傾斜ブロックＢ面上に、傾斜面下端線を傾斜線ｊ位置とし、又、傾斜側辺下端を直角線ｋ位置として、上昇傾斜して重なる。尚、傾斜ブロックＢと傾斜ブロックＣの傾斜面の長さは磁極面巾と同じとする。傾斜ブロックＢと傾斜ブロックＣの傾斜角度は、選択したピッチ円錐角ｘと同角度とする。又、副円盤面における区分点の傾斜線ｊ、ｋに副傾斜台を固定した時、各ブロックが、どの様な位置、順序、方向で積み上げられているかを説明すると、まず、平面台ブロックＤの下端２辺を副円盤面区分点の傾斜線ｊ、ｋに合わせる。次に、傾斜ブロックＥは、平面台ブロックＤ面上に、傾斜面上端線を直角線ｋ位置とし、又、傾斜側面下端を傾斜線ｊ位置として下降傾斜して重なる。次に、傾斜ブロックＦは、傾斜ブロックＥ面上に、傾斜面下端線を傾斜線ｊ位置とし、又、傾斜側面下端を直角線ｋ位置として上昇傾斜して重なる。尚、この傾斜ブロックＥと傾斜ブロックＦの傾斜面の長さは磁極面巾と同じとする。傾斜ブロックＥと傾斜ブロックＦの傾斜角度は、選択したピッチ円錐角ｘと同角度とする。各傾斜台の台面上に、超電導電磁石、フェライト磁石、ネオジム磁石等で作られた突出形磁石を固定する。平面図に於ける突出形磁石の磁極面巾と磁極面間方向の長さ寸法は、同一寸法で正方形とする。突出形磁石は、Ｎ極、Ｓ極各磁極面の互いの逆位置端に突出部が付く。突出部の巾は、磁極面巾の３分の１とし、突出長さは、突出形磁石の磁極面巾の２分の１とする。主、副各円盤における、突出形磁石は、本体磁極面角下端を区分点位置とし、磁極面下端を主、副各傾斜台面上の傾斜線ｊ位置とし、又、磁極面間方向側面下端を直角線ｋ位置として、固定する。本発明では、区分点側の磁極面を前磁極面と呼び、反対側の磁極面を後磁極面と呼ぶことにする。又、前磁極面に付く突出部を前突出部と名付け、後磁極面に付く突出部を後突出部と名付ける。主円盤の各区分点の磁極は、常に同じ磁極とし、副主円盤の各区分点の前磁極は、主円盤の反対磁極とする。磁極面巾は、選択した区分数の２区分間の弦巾の３分の１から７分の１程度より任意に選択して、磁極面巾を決める事ができる。突出形磁石の本体部が、フェライト磁石の時、突出部をネオジム磁石とすれば強力回転が得れる。又、突出形磁石の本体部の両側磁極面は、磁極面間方向巾の５分の１程度の巾をネオジム磁石とし、真ん中５分３をフェライト磁石としたサンドイッチ構成とし、突出部をネオジム磁石とすれば安価で更に、強力回転が得られる。又、突出形磁石の磁極面巾が９ｃｍ程度の時、突出部巾は３ｃｍであり、巾３ｃｍ程度以上あれば、突出部を電磁石とする事ができ、強力回転が可能となる。円形電磁石の時、直径が９ｃｍの時、吸引力は６０ｋｇｍ得られ、この時、入力電圧は、単１電池１個の１．５Ｖである。突出部を電磁石とすれば、安価で大電力の装置とする事が出来る。突出部の電磁石の電力や、超電導電磁石の冷凍機電力は、小型発電の本発明装置を天盤上に搭載して、電力供給する。（直流はインバーターで変換する）主、副各円盤の各主軸に、天盤のボス部軸穴を通し、ボス部のボルトネジ等で、主軸に固定する。主、副傾斜台上に、固定された各突出形磁石の上部面は、主、副各連結台下面を接着剤等で固定し、又、主、副各連結台上面は、天盤下面に接着剤等で固定する。主、副各連結台の構造は、主、副各傾斜台とほぼ同じで、高さ部分を構成する、平面台ブロックの上に、各々、２個の傾斜ブロックが同じ順に重なった形状であるが、傾斜ブロック方向は、真逆方向とした一体成形であり、更に、この形状に突出形磁石の突出部上部面を受けるための受け板を突き出す形状とする。これ等は、磁力に反応しないアルミニューウム等のダイキャスト、又はプラスチック製の一体成形した構造である。主、副各円盤下面に笠歯車を固定するが、噛み合わせ位置は、一ヵ所とし、笠歯車を副円盤下面に取付け時、主円盤面の区分円周ｇの一つの区分点ｅを噛み合わせ位置とした時、区分点ｅを通る中心線上に、笠歯車の歯間の谷溝中心とし、その位置に噛み合わせ刻印を付け、主円盤下面に笠歯車をボルトネジ等により固定する。又、副円盤面は、笠歯車を副円盤下面に取付け時、磁極面巾ｔにｃｏｓｘを乗じた値に１．５倍した値の巾ｚをコンパスに取り、副円盤面における区分円周ｇの区分点より、回転方向にコンパスで区分し、区分点ａとする。区分点ａを通る中心線に、歯山頂部中心とし刻印を付け、笠歯車を副円盤下面にタッピングネジ等により固定する。主、副円盤回転車を、装置容器の各軸受により、各主軸を支持する時、各笠歯車の印ある位置の歯谷と歯山を噛み合わせ、各主、副円盤回転車軸を、装置容器の各軸受に支持する。装置容器外上部の主円盤回転車の主軸位置に、出力用笠歯車室を固定し、その側壁に軸受けを設け、ピッチ円錐角４５度の出力用笠歯車を固定した軸を軸受に通し支持する。主円盤回転車の主軸にも、出力用笠歯車を通しボス部のボルトネジにより固定し、２個の出力用笠歯車の歯を噛み合わせる。又、出力用笠歯車軸方向の装置容器外上部に、発電機台を固定し、台上に発電機を固定する。発電機軸はクラッチに接続し、クラッチの出力軸は、出力用笠歯車軸と軸継手により連結される。又、出力用笠歯車室上部側壁に、ディスクブレーキ装置を固定し、主軸にブレーキディスクを固定する。主、副各円盤回転車の天盤上部に、電源装置用取付台を付け、下部に冷却用冷凍機、台上に電源用小型本発明装置等を設けた構造を特徴とする磁力回転発電装置。
【発明の詳細な説明】
【技術分野】
【０００１】この発明は、一対の噛み合う笠歯車上の円盤面周囲区分点に、磁石を固定し、磁石相互間に、作用する吸引力と、反発力とによって回転力とし、発電機を回転させ電力を得る装置であり、電気自動車、船舶、鉄道、ロボット、宇宙航空、農業用、等の電源として用いる。
【背景技術】
【０００２】従来、我国の発明家湊弘平氏により、一対の平歯車を噛み合わせ、上に、円盤を付け、円盤面周囲に磁石を固定し、磁石の反発力によって回転力とし、発電機を回転し、電力を得る磁力発電装置が、１９８７年頃にテレビ等で発表され、永久機関の可能性を示した。その後、雑誌に、実用化間近で、回転する装置の写真付きの記事が載っていた。又、特許取得している。しかし、耐久性に問題があったせいか、本格的な実用化はされなかった。他に、米国の発明家トロイ・リード氏の磁力発電装置がある。これは、特許権も取れているようであり、かなりの発電量がある。しかし、装置が大型で複雑であり、耐久性も未知数である。
【発明の開示】
【発明が解決しようとする課題】
【０００３】主円盤回転車と副円盤回転車は、各円盤面の区分円周を２区分〜４区分程度の区分数とし、磁石配置数を少なくする。各円盤面下部に固定する笠歯車の歯間ピッチを大きくでき、歯数を少なくした構造がシンプルであり、耐久性、信頼性ある構造とする。又、超小型装置や、逆に、超大型装置とする事を可能とする。永久磁石のみだけではなく、超電導電磁石を用いて、大電力を得る事ができる構造とする。回転原理に無理がなく、又、対向する磁石の吸引力と、反発力の全てを回転力に転換する回転原理として、原動機並みの高速回転が可能とし、多少の負荷であれば、停止位置より自力回転を可能とする。
【課題を解決するための手段】
【０００４】主円盤回転車と副円盤回転車の構成は、同一直径の主、副各円盤中心下部をボス部とし、中心に軸穴を付け主軸を通し、キー、ボルトにより各々固定する。又、主、副各円盤下部に、リング形で、主、副各円盤直径より歯形部分だけ少し大きめの同一直径、同一歯数とする各笠歯車を主、副各円盤中心下部の段差円周側面に合わせ取付け、タッピングネジ等により、に固定する。【０００５】又、小型の場合、各笠歯車の中心下部をボス部とし、中心に軸穴を付け主軸を通し、キー、ボルトにより各々固定する。、各笠歯車の上面に、笠歯車より、歯形部分だけ小さめの中心に軸穴があく同一直径の、主、副各円盤を中心軸に通し、各笠歯車の上面にタッピングネジ等で各々、固定する。【０００６】主、副各円盤面外周より少し内側に、同一直径の区分円周ｇを描き、２以上ので整数区分より、任意の区分数を選択して、区分円周ｇを等区分し各区分点ｅとする。主円盤における区分円周ｇの各区分点より、回転方向に、接線ｆを引き描く、接線ｆを基準として傾斜角αの傾斜線ｊを区分点ｅより引き描く。次に、この傾斜線ｊに対する直角線ｋを区分点ｅより引き描く。【０００７】主円盤の傾斜角αは、笠歯車のピッチ円錐角ｘにより変化する。笠歯車の選択できるピッチ円錐角ｘは、最大３０度であり、この時の傾斜角α、は９０度である。笠歯車のピッチ円錐角ｘは、３０度より１度程度まで選択できる。傾斜角αを３０度よりａ度減じたｘとする時、傾斜角αは、最大ピッチ円錐角ｘの傾斜角αである９０度よりａ度減じた角度とする。仮に、ピッチ円錐角ｘを１５度とした時、これを数式を入れ述べると、傾斜角αを３０度よりａ度減じた数ａは、ａ＝３０−ｘとなり、ａ＝３０−１５＝１５度であり、傾斜角αは、９０度よりａ度減じた値の角度となるので、α＝９０−ａとなり、α＝９０−ａ＝９０−１５＝７５で傾斜角αは７５度となる。【０００８】又、副円盤における区分円周ｇの各区分点ｅより、逆回転方向に、接線ｆを引き、接線ｆを基準として傾斜角βの傾斜線ｊを区分点ｅより引く。又、この傾斜線ｊに対する直角線ｋを区分点ｅより引く。傾斜角βは笠歯車ピッチ円錐角ｘの如何なる選択でも４５度とする。【０００９】主傾斜台と副傾斜台の形状は、一体成形であり、分解できないが、分解できるとして説明する。まず、主、副各傾斜台は、各々、高さ部分を構成する、平面台ブロックＡの上に、各々、側面が直角三角形の傾斜ブロックＢ、Ｃが２個重なった形状であり、更に、この形状に、突出形磁石を上面に固定した時、突出部の下部面を受ける突出部受け板を付けた形状とする。こうした形状をアルミニューム等のダイキャストの一体成形、或いは、プラスチック一体成形した構造である。【００１０】平面台ブロックは、平面形が正方形であり１辺の長さは、磁極面巾にｃｏｓｘ（ｘは選択したピッチ円錐角）を乗じた値とする。平面台ブロックの高さは、約、突出形磁石の磁極面巾にｓｉｎｘ（ｘは選択したピッチ円錐角）を乗じた値に１．３倍した程度の高さとする。主円盤面における、区分点の傾斜線ｊ、ｋに主傾斜台を固定した時、各ブロックＡが、どの様な位置、順序、方向で積み上げられているかを説明すると、まず平面台ブロックは、下端２辺を主円盤面区分点の傾���線ｊ、ｋに合わせ固定し、次に、傾斜ブロックＢは、平面台ブロックＡ面上に、傾斜面下端線を、直角線ｋ位置として、又、傾斜側辺下端を傾斜線ｊ位置として、上昇傾斜して重なる。次に、傾斜ブロックＣは、傾斜ブロックＢ面上に、傾斜面下端線を傾斜線ｊ位置とし、又、傾斜側辺下端を直角線ｋ位置として、上昇傾斜して重なる。尚、傾斜ブロックＢと傾斜ブロックＣの傾斜面の長さは磁極面巾と同じとする。傾斜ブロックＢと傾斜ブロックＣの傾斜角度は、選択したピッチ円錐角ｘと同角度とする。【００１１】又、副円盤面における区分点の傾斜線ｊ、ｋに副傾斜台を固定した時、各ブロックが、どの様な位置、順序、方向で積み上げられているかを説明すると、まず、平面台ブロックＤの下端２辺を副円盤面区分点の傾斜線ｊ、ｋに合わせる。次に、傾斜ブロックＥは、平面台ブロックＤ面上に、傾斜面上端線を直角線ｋ位置とし、又、傾斜側面下端を傾斜線ｊ位置として下降傾斜して重なる。次に、傾斜ブロックＦは、傾斜ブロックＥ面上に、傾斜面下端線を傾斜線ｊ位置とし、又、傾斜側面下端を直角線ｋ位置として上昇傾斜して重なる。尚、この傾斜ブロックＥと傾斜ブロックＦの傾斜面の長さは磁極面巾と同じとする。傾斜ブロックＥと傾斜ブロックＦの傾斜角度は、選択したピッチ円錐角ｘと同角度とする。【００１２】各傾斜台の台面上に、超電導電磁石、フェライト磁石、ネオジム磁石等で作られた突出形磁石を固定する。突出形磁石の磁極面巾は、突出形磁石は、平面図に於ける磁極面巾と磁極面間方向の長さ寸法は、同一寸法で正方形とする。突出形磁石は、Ｎ極、Ｓ極各磁極面の互いの逆位置端に突出部が付く。突出部の巾は、磁極面巾の３分の１とし、突出長さは、突出形磁石の磁極面巾の２分の１とする。【００１３】主、副各円盤における、突出形磁石は、本体磁極面角下端を区分点位置とし、磁極面下端を主、副各傾斜台面上の傾斜線ｊ位置とし、又、磁極面間方向側面下端を直角線ｋ位置として、固定する。本発明では、区分点側の磁極面を前磁極面と呼び、反対側の磁極面を後磁極面と呼ぶことにする。又、前磁極面に付く突出部を前突出部と名付け、後磁極面に付く突出部を後突出部と名付ける。主円盤の各区分点の磁極は、常に同じ磁極とし、副主円盤の各区分点の前磁極は、主円盤の反対磁極とする。磁極面巾は、選択した区分数の２区分間の弦巾の３分の１から７分の１程度より任意選択して、磁極面巾を決める事ができる。【００１４】突出形磁石の本体部が、フェライト磁石の時、突出部をネオジム磁石とすれば強力回転が得れる。又、突出形磁石の本体部の両側磁極面は、磁極面間方向巾の５分の１程度の巾のネオジム磁石として、真ん中５分３をフェライト磁石とするサンドイッチ構成とし、突出部をネオジム磁石とすれば安価で更に、強力回転が得られる。又、突出形磁石の磁極面巾が９ｃｍ程度の時、突出部巾は３ｃｍであり、巾３ｃｍ程度以上あれば、突出部を電磁石とする事ができ、強力回転が可能となる。円形電磁石の直径が９ｃｍの時、吸引力は６０ｋｇｍ得られ、この時、入力電圧は、単１電池１個の１．５Ｖである。突出部を電磁石とすれば、安価で大電力の装置とする事が出来る。突出部電磁石の直流電源や、超電導電磁石の冷凍機電源は、小型���電用本発明装置を天盤上に搭載して、直流電力供給する。（直流はインバーターで変換する）【００１５】主、副各円盤の各主軸に、天盤のボス部軸穴を通し、ボス部のボルトネジ等で、主軸に固定する。主、副傾斜台上に、固定された各突出形磁石の上部面は、主、副各連結台下面を接着剤等で固定し、又、主、副各連結台上面は、天盤下面に接着剤等で固定する。【００１６】主、副各連結台の構造は、主、副各傾斜台とほぼ同じで、高さ部分を構成する、平面台ブロックの上に、各々、２個の傾斜ブロックが同じ順に重なった形状であるが、傾斜ブロック方向は、真逆方向とした一体成形であり、更に、この形状に突出形磁石の突出部上部面を受けるための突出部受け板を突き出す形状とする。これ等は、磁力に反応しないアルミニューウム等のダイキャスト、又はプラスチック製の一体成形した構造である。【００１７】主、副各円盤下面に笠歯車を固定するが、噛み合わせ位置は、一ヵ所とし、笠歯車を副円盤下面に取付け時、主円盤面の区分円周ｇの一つの区分点ｅを噛み合わせ位置とした時、区分点ｅを通る中心線上に、笠歯車の歯間の谷溝中心とし、その位置に噛み合わせ刻印を付け、主円盤下面に笠歯車をボルトネジ等により固定する。【００１８】又、副円盤面は、笠歯車を副円盤下面に取付け時、磁極面巾ｔにｃｏｓｘを乗じた値に１．５倍した値の巾ｚをコンパスに取り、副円盤面における区分円周ｇの区分点より、回転方向にコンパスで区分し、区分点ａとする。区分点ａを通る中心線に、歯山頂部中心とし刻印を付け、笠歯車を副円盤下面にタッピングネジ等により固定する。主、副円盤回転車を、装置容器の各軸受により、各主軸を支持する時、各笠歯車の印ある位置の歯谷と歯山を噛み合わせ、各主、副円盤回転車軸を、装置容器の各軸受で支持する。【００１９】装置容器外上部の主円盤回転車の主軸位置に、出力用笠歯車室を固定し、その側壁に軸受けを設ける。ピッチ円錐角４５度の出力用笠歯車を固定した軸を軸受に通し支持する。主円盤回転車の主軸にも、出力用笠歯車を通しボス部のボルトネジにより固定し、２個の出力用笠歯車の歯を噛み合わせる。又、出力用笠歯車軸方向の装置容器外上部に、発電機台を固定し、台上に発電機を固定する。発電機軸はクラッチに接続し、クラッチの出力軸は、出力用笠歯車軸と軸継手により連結される。又、出力用笠歯車室上部側壁に、ディスクブレーキ装置を固定し、主軸にブレーキディスクを固定する。主、副各円盤回転車の天盤上部に、電源装置用取付台を付け、下部に冷却用冷凍機、台上に電源用小型本発明装置等を設けた構造を特徴とする磁力回転発電装置。
【発明を実施するための最良の形態】
【００２０】以下、本発明の実施の形態を図面に基づき詳細に説明する。【００２１】図１〜図３は本発明本体の第１の実施の形態に係る図である。図１は図２の主円盤回転車１部分の断面線Ｂ−Ｂ線方向と副円盤回転車２部分の断面線Ｃ−Ｃ方向で、主円盤面と副盤合面を透視し、各区分点の傾斜線ｊと直角線ｋ上に突出形磁石８を固定した時の合成した断面透視平面図であり、図２は、図１の断面線Ａ−Ａ線方向の断面立面図である。図３は、図２の断面線Ｄ−Ｄ線方向の断面立面図である。笠歯車３のピッチ円錐角ｘは、１５度であり、区分数は４区分である。る。又、突出形磁石８の本体磁石は、フェライト磁石とし、突出部８ａ、８ｂは、電磁石とする。電磁石は磁力が強力であり、大電力が得られる。【００２２】図１〜図３にあるように、主円盤回転車１と副円盤回転車２は、同一直径の主、副各円盤３、４とその各円盤中心下部をボス部とし、ボス部中心にあく軸穴に主軸９を通し、ボルトネジ、キー等により固定する。又、リング状で円盤直径より、歯部分の径だけ大きめの外周で、同一直径、同一歯数とした、リング状笠歯車５を各主、副円盤３、４下部面の円周段に、リング状笠歯車５の内周面を嵌合わせ、ボルトネジ等で固定する。【００２３】図１にあるように、主、副各円盤３、４面外周より少し内側に、同一直径の区分円周ｇを描き、区分円周ｇを４区分で等区分する。主円盤３における区分円周ｇの各区分点ｅより、回転方向に、接線ｆを引き、接線ｆを基準として傾斜角αを７５度とした傾斜線ｊを各区分点より引く。又、この傾斜線ｊに対する直角線ｋを各区分点ｅより引く。【００２４】本発明における回転可能な笠歯車５の選択できる最大ピッチ円錐角ｘは３０度であり、この時、傾斜角αは、９０度とする。ピッチ円錐角ｘを３０度よりａ度減じたｘ１とする時、傾斜角αは、９０度よりａ度減じた値の角度となる。これを数式を入れ２例述べると、ピッチ円錐角ｘ１を１０度とした時、ａは次の数式、ａ＝３０−ｘ１であり、ａ＝３０−１０＝２０となる。これは次の数式α＝９０−ａによりα＝９０−２０＝７０で傾斜角αは７０度となる。又、ピッチ円錐角ｘ１を１５度とした時、ａはａ＝３０−ｘ１＝３０−１５＝１５となり、これをα＝９０−ａ＝９０−１５＝７５で傾斜角αは７５度とする。【００２５】又、副円盤４における区分円周ｇの各区分点ｅより、逆回転方向に、接線ｆを引き、基準として傾斜角４５の傾斜線ｊを区分点ｅより引く。又、区分点よりこの傾斜線ｊに対する直角線ｋを区分点より引く。傾斜角βは、ピッチ円錐角ｘをいかなる角度選択しても４５度とする。【００２６】図４は、区分円周ｇの区分点に、主傾斜台７を固定した時の斜視図であり、主傾斜台６は、主円盤３の各区分点ｅに描いた傾斜線ｊ上と直角線ｋ上に、底面２辺位置として、固定される。主傾斜台６は、下から平面台ブロック６−Ａに、側面形が直角三角形とする傾斜ブロック６−Ｂと傾斜ブロック６−Ｃが積み上がった一体成形の構成である。図７は、突出部受け板６ａが付いた主傾斜台６の斜視図である。【００２７】図５は、区分円周ｇの区分点に主傾斜台６を固定した時、副傾斜台６を各ブロックに分解した時の斜視図であり、平面台ブロック６−Ａは、平面形が正方形であり、１辺の長さは、磁極面巾にｃｏｓｘを乗じた値とする。高さは、突出形磁石８の磁極面巾ｔに、ｓｉｎｘ（ｘは選択したピッチ円錐角）を乗じた値を約、１．３倍した程度の高さとする。まず、平面台ブロック６−Ａの２辺を主円盤各区分点ｅの傾斜線ｊ、ｋに合わせ固定する。次に、傾斜ブロック６−Ｂは、傾斜面下端線を直角線ｋ位置とし、又、傾斜面側辺下端を傾斜線ｊ位置として上昇傾斜して、平面台ブロック６−Ａ面上に重なる。次に、傾斜ブロック６−Ｃは、傾斜面下端線を傾斜線ｊ位置とし、又、傾斜面側辺下端を直角線ｋ位置として上昇傾斜して、傾斜ブロックＢ面上に重なる。尚、傾斜ブロック６−Ｂと傾斜ブロック６−Ｃの傾斜面の長さは磁極面巾と同じとする。傾斜ブロック６−Ｂと傾斜ブロック６−Ｃの傾斜角度は、選択したピッチ円錐角ｘと同角度のｘ１で１５度とする。尚、図では、説明を容易にする為に固定用のフランジや取付け枠、突出部の受け板等は、省略している。【００２８】図８は、区分円周ｇの区分点に、副傾斜台７を固定した時の斜視図であり、ｅは区分点であり、矢印は副円盤４の回転方向を示す。ｆは、副円盤４の逆回転方向に引いた接線であり、接線ｆを基準線として、傾斜角βを４５度として区分点よりｊ線を引き、ｊ線を基準線として直角線ｋを区分点より描く。傾斜角βは、ピッチ円錐角ｘをいかなる角度に選択しても４５度とする。図７は、突出部受け板７ａが付いた副傾斜台７の斜視図である。【００２９】図９は、副区分円周ｇの区分点に副傾斜台７を固定した時、副傾斜台７を各ブロックに分解した時の斜視図であり、傾斜台７の平面台ブロック７−Ｄは、平面台ブロック６−Ａと同じであり、平面が正方形であり、１辺の長さは、磁極面巾にｃｏｓｘを乗じた値とする。高さは、平面台ブロック６−Ａと同じで、突出形磁石の磁極面巾にｓｉｎｘ（ｘは選択したピッチ円錐角）を乗じた値を約１．３倍した程度の高さとする。平面台ブロック７−Ｄは、２辺を副円盤における各区分点ｅの傾斜線ｊ、ｋに合わせる。次に、傾斜ブロック７−Ｅは、傾斜面上端線を直角線ｋ位置とし、又、傾斜面側辺下端を傾斜線ｊ位置として下降傾斜して、平面台ブロック７−Ｄ上面に重なる。次に、傾斜ブロック７−Ｆは、傾斜面下端線を傾斜線ｊ位置とし、又、傾斜面側辺下端を直角線ｋ位置として上昇傾斜して、傾斜ブロック７−Ｅ上面に重なる。傾斜ブロック５−Ｅと、傾斜ブロック５−Ｆの傾斜角度は、選択したピッチ円錐角ｘと同角度のｘ１で１５度とする。尚、図では、説明を容易にする為に固定用のフランジや取付け枠、突出部の受け板等は、省略している。【００３０】突出形磁石８は、図１６にあるように、本体の平面図に於ける磁極面巾ｔと磁極面間方向の長さｍの寸法は、同一寸法で正方形とする。突出形磁石８は、Ｎ極、Ｓ極の各磁極面は互いの逆位置端に突出部８ａ、８ｂ、が付く。突出部８ａ、８ｂの巾ａは、突出形磁石７の磁極面巾ｔの３分の１とし、突出長さｂは、磁極面巾ｔの２分の１とする。本発明に於ては、図１０、図１１のように主円盤３と副円盤４に固定した主、副傾斜台６、７上に、突出形磁石８を固定した時、区分点ｅ位置の磁極面を前磁極面と称し、反対側の磁極面を後磁極面と称する。又、前磁極面に付く突出部を前突��部８ａと名付け、後磁極面に付く突出部を後突出部８ｂと名付ける。【００３１】又、図１、図２１にあるように、主円盤３の各区分点の前磁極面の磁極は、同一磁極とし、副円盤４の各区分点の前磁極面の磁極は、主円盤３の各区分点の前磁極面の磁極の反対磁極とする。【００３２】主円盤３と副円盤４における、突出形磁石８は、前磁極面下端を傾斜線ｊ位置とし、又、磁極面間方向側面下端を直角線ｋ位置として、各々、主、副傾斜台６、７面上に固定する。又、主、副各円盤３、４における突出形磁石８の前磁極面の前突出部８ａは、共に、区分点ｅの反対側端に突きでる。【００３３】図２、図３、図２２にあるように、主、副傾斜台６、７面上に固定された各突出形磁石８の上部端に、主連結部１１、副連結部１２、を接着剤、等で固定し、又、各々天盤１０の中心に開く軸穴に、主、副各円盤４、５の各主軸９を通し、天盤１０ボス部のボルトにより各主軸９に固定する。又、主、副各連結台１１、１２上面は、各天盤１０の下部面に接着剤、等で固定する。図１２は、突出部受け板１１ａが付いた主連結台１１の斜視図である。又、図１３は、主連結台１１を各ブロックに分解した時の斜視図である。主連結台１１の形状は、図１３のように平面台ブロック１１−Ａに傾斜ブロック１１−Ｂ、傾斜ブロック１１−Ｃが、主傾斜台６における、傾斜ブロック６−Ｂ、傾斜ブロック６−Ｃの傾斜方向と真逆方向で積み上がった一体成形構造である。図１４は、突出部受け板１２ａが付いた副連結台１２の斜視図であり、図１５は、副連結台１２を各ブロックに分解した時の斜視図である。傾斜ブロック１２−Ｅ、傾斜ブロック１２−Ｆの方向は、副傾斜台７における傾斜ブロック７−Ｅ、傾斜ブロック７−Ｆと、真逆方向で積み上がった一体成形構造である。【００３４】主円盤３の天盤１０上にフライホイール１３を設ける。各電磁石の直流電源は、電源用小型発電本発明装置２５を（蓄電器、配電盤、直流変換インバーター等は省略）天盤上に搭載して、直流電力供給する。以上の構成により、主円盤回転車１と副円盤回転車２とする。主、副各円盤回転車１、２は、装置容器１４のスラスト各軸受１５、ラジアル軸受１６、により、各主軸９を支持し、笠歯車５を噛み合わせる。【００３５】主円盤３  の笠歯車５の噛み合わせ位置は、主円盤３において、区分円周ｇの一つの区分点ｅを噛み合わせ位置としこの位置を通る中心線上に、笠歯車５の歯谷溝中心を合わせ、この位置に刻印を付け、主円盤３に笠歯車５をボルト等により固定する。【００３６】又、副主円盤４の笠歯車５の噛み合わせ位置は、副円盤４において、区分円周ｇの１区分点ｅより、磁極面巾ｔにｃｏｓｘを乗じた値に１．５倍した値の巾ｚをコンパスに取り、副円盤４の回転方向に、コンパスで区分し、この区分点ａとし、副円盤４に笠歯車５を取付ける時、区分点ａを通る中心線上を、笠歯車５の歯山頂部位置とし、笠歯車５を副円盤４にボルトネジ等により固定する。笠歯車５の歯山頂部噛み合わせ位置としこの位置に刻印を付ける。【００３７】例えば、仮に、磁極面巾ｔを２ｃｍとし、ピッチ円錐角ｘを１５度とした時、ｚ巾を計算式で求めると、ｚ＝（ｃｏｓｘ×ｔ）×１．５＝（ｃｏｓ１５×２）×１．５＝（０，９６５×２��×１．５＝１．９３×１．５＝２．８９５でｚ巾は約２．９ｃｍとなる。副円盤４の１つの区分点より、巾ｚをコンパスに取り、副円盤４の回転方向に、コンパスで区分し、この位置が区分点ａとなる。この区分点ａを通る中心線上に、笠歯車５の歯山頂部を合わせ、笠歯車５を副円盤４にボルトネジ等により固定する。【００３８】主、副各円盤回転車１、２は、装置容器１４の各スラスト軸受１５、ラジアル１６に、各主軸９を支持する時、各笠歯車５の印ある歯谷と歯山を噛み合わせ、各主、副円盤回転車１、２の主軸９を支持する。【００３９】又、装置容器１４外上部に、出力用笠歯車取室１８を設け、主円盤回転車１の主軸９に、ピッチ円錐角４５度の出力用笠歯車１９を取り付け固定する。又、出力用笠歯車取室１８に軸受けを取付け、軸受けにピッチ円錐角４５度の出力用笠歯車１９を取り付け、両出力用笠歯車１９を噛み合わせる。又、装置容器１４外上部に、発電機取付け台２１を設け、台上に発電機２２とクラッチ２０を固定する。発電機２２軸はクラッチ２０に接続する。クラッチ２０の出力軸は、出力用笠歯車１９軸と軸継手１７により連結される。主円盤回転車１の天盤１０上部にフライホイール１３を設ける。又、出力用笠歯車室１８に、ディスクブレーキ装置２６を取り付け、主軸９にディスクプレート２７を取付け固定する。【００４０】本発明装置を起動する時は、クラッチ２０を切った状態で、ディスクブレーキ２６のロックを切ると、主円盤回転車１と副円盤回転車２は、ゆっくりと回転を始める。回転数が上がった時点で、クラッチ２０を入れると発電を開始する。装置を停止する時は、クラッチ２０を切って、ディスクブレーキ２６をかければ停止し、長期間停止の時、ロック装置をかける。主、副傾斜台６、７や主円盤３、副円盤４や笠歯車５、主、副各連結台部１１、１２、天盤１０等は、磁力に作用しない素材としなければならない。クラッチ２０はアクチュエイターにより作動し、コンピューターにより制御する。こうした構造を特徴とする磁力回転発電装置。【００４１】図２１と図２２は、本発明本体の第２の実施の形態に係る図であり、突出形磁石８は、超電導電磁石構成とする。図２１は図２２の主円盤回転車１部分の断面線Ｂ−Ｂ線方向と副円盤回転車２部分の断面線Ｃ−Ｃ方向で、主円盤３面と副円盤４面を透視し、各区分点の傾斜線ｊと直角線ｋ上に突出形磁石８を固定した時の合成した断面透視平面図であり、図２２は、図２１の断面線Ａ−Ａ線方向の断面立面図である。笠歯車５のピッチ円錐角ｘは、１０度である。【００４２】図２１において、矢印は主円盤３の回転方向を示す。主円盤３の各区分点ｅより回転方向に、接線ｆを引き、接線ｆを基準として、傾斜角αを７０度とする、傾斜線ｊを区分点ｅより引く。又この傾斜線ｊに対する直角線ｋを区分点ｅより引き、描く。区分点ｅの傾斜線ｊ線と直角線ｋ上に主傾斜台６を配置し、上面に突出形磁石８の前磁極面を傾斜線ｊ位置とし、磁極面間方向側面を直角線ｋ位置として固定する。図２１では、区分円周ｇの直径を２ｍ１０ｃｍとすると、磁極面巾は約、３８ｃｍとなる。発電機２２の水平面に対する傾斜角は、１０度となる。図では、超電導電磁石の本体と突出部は一体形としたが、この超��導電磁石の製作が困難であれば、各々、別構成として作り、後付けして組み立てる構成としても良い。この場合、配管が複雑となる欠点がある。区分数が２区分でも回転可能であるが、突出形磁石８の高さｈは４区分の時の高さの２倍程度とする。【００４３】又、副円盤４の各区分点より、逆回転方向に、接線ｆを引き、接線ｆを基準として、傾斜角βを４５度で、傾斜線ｊを区分点より引く。又この傾斜線ｊに対する直角線ｋを区分点より引き、描く。突出形磁石８は、前磁極面下端を傾斜線ｊ位置とし、又、磁極面間方向側面下端を直角線ｋ位置として、副傾斜台７面上に固定する。【００４４】主傾斜台６と副傾斜台７に超電導電磁石構成で配置される突出形磁石８とする時、各天盤８上に、２段の電源用装置取付台２３を３台を固定し、各々、上部に電源用小型本発明装置２５を固定して電源とし、下部に冷凍機２４固定し、ヘリウムガスの再液化用として用いる。又、ヘリウムガと液の配管は図では、省略する。又、主円盤３面の主傾斜台６には、超電導電磁石構成の突出形磁石８を配置した主円盤回転車１とし、副円盤４面の副傾斜台７に配置される突出形磁石８は、フェライト磁石構成の突出形磁石８を配置した副円盤回転車２の構成としても良い。こうした構造を特徴とする第２の実施の形態の磁力回転発電装置。【００４５】図１７〜図２０は、本発明の第２の実施形態の回転原理の説明図であり、ピッチ円錐角ｘは１０度であり、区分数は３区分である。図に於て、中心線０−０より、向かって右側を入り口側と呼び、向かって左側を出口側と呼ぶ事にする。【００４６】図１７は、主円盤３の突出形磁石８（Ａ）の後突出部８ｂの磁極面端が、最接近点を通る中心線０−０より、中心角εが４５度の入り口側に、位置した時、副円盤４の対向する突出形磁石８（Ｄ）とにより、回転ポテンシャル位置となる。この時、主円盤３の突出形磁石８（Ａ）の後突出部８ｂのＳ極と、副円盤４における、突出形磁石８（Ｄ）の後突出部８ｂのＮ極に吸引力が作用し、突出形磁石８（Ａ）に回転力Ｐ１が作用する。又、突出形磁石６（Ａ）の前磁極面Ｎ極と突出形磁石８（Ｄ）の前磁極面Ｓ極との吸引力により回転力Ｐ２が作用する。この時、突出形磁石６（Ａ）にかかる逆回転力は、突出形磁石６（Ａ）の前突出部Ｎ極と突出形磁石８（Ｄ）の後突出部Ｎ極の反発力により、消去される。回転力Ｐ１、Ｐ２とにより図１８位置まで回転する。【００４７】仮に、ピッチ円錐角ｘを変えた時、又、他の区分数の時に於ても、主円盤３の突出形磁石８（Ａ）の後突出部８ｂの磁極面端が、中心角εが４５度の入り口側に、位置した時、又、他の区分数の時に於ても回転ポテンシャルＰ１、Ｐ２が作用する位置である。【００４８】図１８は、最接近点を通る中心線０−０上に、主円盤３の突出形磁石８（Ａ）の区分点ｅが位置した時である。この位置で突出形磁石８（Ａ）の後突出部８ｂのＳ極と、副円盤３の対向する突出形磁石８（Ｄ）の後突出部８ｂＮ極との吸引力による回転力Ｐ１は消滅する。それは、回転力Ｐ１の吸引力の方向が、副円盤の主軸方向であつたため、逆回転力がなかった。しかし、この位置から副円盤４の接線方向となるため逆回転力が生起する為である。しかし、回転力Ｐ２により図１９位置ま��回転する。【００４９】図１９は、主円盤１における突出形磁石８（Ａ）の後突出部８ｂの磁極面端が、最接近点を通る中心線０−０より中心角εが１０度位置の図である。この位置で回転力Ｐ２は消滅する。しかし、主円盤１における突出形磁石８（Ａ）の後突出部８ｂのＳ極と、副円盤の突出形磁石８（Ｃ）の前磁極面のＳ極との反発力により突出形磁石８（Ａ）に回転力Ｐ３と、突出形磁石８（Ｄ）にも回転力Ｐ４が作用する。この回転力Ｐ３、Ｐ４により、図２０位置まで回転する。【００５０】尚、選択ピッチ円錐角ｘを変えた場合、主円盤３における突出形磁石８（Ａ）の後突出部８ｂの端部の中心線０−０よりの通過中心角εは、そのｘ角度となる。例えば、ピッチ円錐角ｘが１５度の時、中心線０−０より中心角εは、１５度となり、ピッチ円錐角ｘが３０度の時、中心線０−０より中心角εは、３０度となる。【００５１】図２０は、主円盤１における突出形磁石６（Ａ）の後突出部６ｂの磁極面端が、最接近点を通る中心線０−０より、中心角εで４５度位置の図である。回転力Ｐ３、Ｐ４は、持続する。又、この位置で、突出形磁石８（Ａ）の後突出部８ｂのＳ極と、突出形磁石８（Ｃ）の前突出部８ａのＳ極との反発力により突出形磁石８（Ａ）に回転力Ｐ５と、突出形磁石８（Ｄ）にも回転力Ｐ６が作用する。この回転力Ｐ５、Ｐ６は、突出形磁石８（Ａ）の後突出部８ｂの磁極面端が、共通中心線０−０よりの通過中心角εが、９０度の位置まで持続する。又、回転力Ｐ３、Ｐ４は、通過中心角εが６０度の位置で消滅する。【００５２】尚、この回転力Ｐ５、Ｐ６が作用する中心角εの４５度は、選択ピッチ円錐角ｘを変えた場合も同じである。これが対抗する１対区分の回転ポテンシャリティであり、回転ポテンシャリティは、およそ共通中心線０−０より入口側中心角εが４５度と出口側９０度を加えた１３５度の中心角εとなる。従って、区分数が３区分の時、２区分間の中心角は、１２０度であるので、出口側中心角εが７５度の時に、次の対抗区分である主円盤３の突出形磁石８（Ｂ）と副円盤４の突出形磁石８（Ｅ）は、回転ポテンシャル位置となり出力を出すことで、出力は重畳される。尚。区分数が４区分の２区分間の中心角は９０度であるので、入口側中心角ε４５度と出口側中心角ε４５度で９０度であり、次の対抗区分が回転ポテンシャル位置となり  出力は重畳される。【００５３】次の対抗区分である主円盤３の突出形磁石８（Ｂ）と副円盤２の突出形磁石８（Ｅ）は、図１５位置における同じ回転ポテンシャル位置となり、同じように回転力を作用して、次の対抗区分である主円盤３の突出形磁石８（Ｃ）と副円盤４の突出形磁石８（Ｆ）となりサイクルを持続する。
【産業上の利用可能性】
【００５４】超電導電磁石による大電力発電が可能となり、長距離送電設備も必要なく都市部に、少スペース、安全で、自然に優しい発電設備を設ける事ができる。又、超電導電磁石の強力発電が可能で、軽量化できれば、蓄電器と組み合わせ、２系統或いは、３系統で交互に切り替える事により、電動機によるプロペラ回転による大型航空機も可能となる。又、電気自動車、ロボット等の電源とすることができる。
【図面の簡単な説明】
【００５５】
【図１】図１は発明本体で、第１実施の形態に係る図であり、図２のＢ−Ｂ線方向の主円盤回転車１部分断面と、Ｃ−Ｃ線方向の副円盤回転車２部分の断面であり、各々、主、副各円盤面を透視し、各区分点の傾斜線ｊと直角線ｋ上に突出形磁石８を固定した時の合成した断面透視平面図。
【図２】図２は、発明本体図１のＡ−Ａ線方向の断面立面図。
【図３】図３は、発明本体図２のＤ−Ｄ線方向の断面側面図である。
【図４】図４は、区分点ｅ位置における主傾斜台６の斜視図
【図５】図５は、区分点ｅ位置における主傾斜台６を各ブロックに分解した時の斜視図。
【図６】図６は、突出部支持板６ａを付けた主傾斜台６の斜視図
【図７】図７は、突出部支持板７ａを付けた副傾斜台７の斜視図
【図８】図８は、区分点位置における副傾斜台７の斜視図。
【図９】図９は、区分点位置における副傾斜台７を各ブロックに分解した時の斜視図。
【図１０】図１０は、区分点位置の主傾斜台６に、突出形磁石８を固定した斜視図
【図１１】図１１は、区分点位置の副傾斜台７に、突出形磁石８を固定した斜視図
【図１２】図１２は、主連結部１１の斜視図
【図１３】図１３は、主連結部１１を各ブロックに分解した時の斜視図。。
【図１４】図１４は、副連結部１２の斜視図
【図１５】図１５は、主連結部１２を各ブロックに分解した時の斜視図。
【図１６】図１６は、突出形磁石８の斜視図
【図１７】図１７は、本発明の第２の実施形態の回転原理の説明図であり、主円盤３の突出形磁石８（Ａ）の後突出部の磁極面端が、最接近点を通る中心線０−０より、右側の入り口側に、中心角εが４５度の位置した時の図である。矢印は主円盤３、副円盤４の回転方向である。
【図１８】図１８は、主円盤３における突出形磁石６（Ａ）の区分点ｅが、最接近点を通る中心線０−０上に位置した図である。
【図１９】図１９は、主円盤３における突出形磁石８（Ａ）の後突出部８ｂの磁極面端が、最接近点を通る中心線０−０より、左側の出口側に中心角εが１０度に位置した図である。
【図２０】図２０は、主円盤３における突出形磁石８（Ａ）の後突出部８ｂの磁極面端が、最接近点を通る中心線０−０より出口側に、中心角εが４５度に位置した図である。
【図２１】図２１は、第２実施の形態に係る図であり、笠歯車３のピッチ円錐角ｘを１０度とし、突出形磁石６を超電導電磁石とした、本発明本体図で、図２２の主円盤回転車部分の断面線Ｂ−Ｂ方向と、副円盤回転車部分の断面線Ｃ−Ｃ方向の主、副円盤面を透視し、各区分点の傾斜線ｊと直角線ｋ上に突出形磁石８を固定した時の合成した断面透視平面図。
【図２２】図２２は、図２１の断面線Ａ−Ａ線方向の断面立面図である。
【符号の説明】
【００５６】１            主円盤回転車
２            副円盤回転車
３            主円盤
４            副円盤
５            笠歯車
６            主傾斜台
６ａ          突出部受け板
６−Ａ        平面台ブロック
６−Ｂ        傾斜ブロック
６−Ｃ        傾斜ブロック
７            副傾斜台
７ａ          突出部受け板
７−Ｄ        平面台ブロック
７−Ｅ        傾斜ブロック
７−Ｆ        傾斜ブロック
８            突出形磁石
８ａ          前突出部
８ｂ          後突出部
９            主軸
１０          天盤
１１          主連結台
１１ａ        突出部受け板
１１−Ａ      平面台ブロック
１１−Ｂ      傾斜ブロック
１１−Ｃ      傾斜ブロック
１２          副連結台
１２ａ        突出部受け板
１２−Ｄ      平面台ブロック
１２−Ｅ      傾斜ブロック
１２−Ｆ      傾斜ブロック
１３          フライホィール
１４          装置容器
１５          スラスト軸受
１６          ラジアル軸受
１７          軸継手
１８          出力用笠歯車室
１９          出力用笠歯車
２０          クラッチ
２１          発電機取り付け台
２２          発電機
２３          電源用装置取付け台
２４          冷凍機
２５          電源用小型本発明装置
２６          ディスクブレーキ装置
２７          ブレーキディスク
【図１】
2017103997.tif 000003
【図２】
2017103997.tif 000004
【図３】
2017103997.tif 000005
【図４】
2017103997.tif 000006
【図５】
2017103997.tif 000007
【図６】
2017103997.tif 000008
【図７】
2017103997.tif 000009
【図８】
2017103997.tif 000010
【図９】
2017103997.tif 000011
【図１０】
2017103997.tif 000012
【図１１】
2017103997.tif 000013
【図１２】
2017103997.tif 000014
【図１３】
2017103997.tif 000015
【図１４】
2017103997.tif 000016
【図１５】
2017103997.tif 000017
【図１６】
2017103997.tif 000018
【図１７】
2017103997.tif 000019
【図１８】
2017103997.tif 000020
【図１９】
2017103997.tif 000021
【図２０】
2017103997.tif 000022
【図２１】
2017103997.tif 000023
【図２２】
2017103997.tif 000024